(57)【特許請求の範囲】
【請求項１】
胸当て部及びこれの両端部に連設された一対の袖部よりなるカバー本体と、首掛け用紐体と、両側一対の腰裏結び用紐体とからなり、各袖部は袖口が伸縮自在に絞られ、首掛け用紐体は、伸縮自在の紐体で、両端部が胸当て部の上辺側両端部に固着されて、着用者の首に掛けられるようになっており、両腰裏結び用紐体は、夫々の一端部が胸当て部の下辺側両端部に固着されていて、夫々袖脇開口縁部の背中側に設けた紐通しに通して、腰裏側で他端部どうしを結ぶようになっている衣服カバー。
【請求項２】
各袖部は、袖脇部が下方へ長く且つ袖口側へ深く形成されて、袖脇開口が伸縮自在に絞られている請求項１に記載の衣服カバー。
【請求項３】
首掛け用紐体には首掛け長さを調整するアジャスターを取り付けてなる請求項１又は２に記載の衣服カバー。
【発明の詳細な説明】
【技術分野】
【０００１】
本発明は、和服を着て外出し、その外出先で洗面所など水に触れやすい場所で洗面や水洗いなど水仕事をするときに袖、特に振り袖や胸元が濡れたり汚れるのを防ぐための和服カバー、あるいは幼児が食事の時に衣服が汚れるのを防ぐためのカバー、更には幼児のヨダレを受けるヨダレ掛けとしても使用できる衣服カバーに関する。
【背景技術】
【０００２】
和服を着て水仕事をする時などに袖口が汚れたり濡れるの防ぐ従来の衣服カバーには、例えば特許文献１に記載されたものがある。これは、袖口にゴム紐を内装した腕カバーのような左右一対の袖と、両袖の夫々袖口と反対側の端部に取り付けた伸縮性の紐と、からなるもので、着用する時は、左右の袖に夫々腕を通し、伸縮性の紐を首の後ろにまわして掛けるようになっている。
【特許文献１】実開平６−５１２１９号公報
【発明の開示】
【発明が解決しようとする課題】
【０００３】
特許文献１に記載された従来の衣服カバーでは、左右一対の袖を伸縮性の紐でつないだだけの構造であるから、和服を着て水仕事をしたり食事をする時などに和服の胸元が濡れたり汚れるのを防ぐことができず、また袖が布地で形成される場合、袖の腕通し口が常に半ば塞がった状態となるために腕通し口に腕を通しにくく、更に各袖が紐に対し回転するため紐が捩じれ易く、破損し易いと云った問題がある。
【０００４】
本発明は、上記の問題点に鑑み、和服を着て外出し、その外出先で洗面所など水に触れやすい場所で洗面や水洗いなど水仕事をするときに和服の袖及び胸元が濡れたり汚れるのを防ぐことができ、また着用に際して袖への腕の挿入が容易で着用し易く、しかも構造が簡単にして製作容易で長く使用できる衣服カバーを提供することを目的とする。
【課題を解決するための手段】
【０００５】
上記課題を解決するための手段を、後述する実施形態の参照符号を付して説明すると、請求項１に係る発明は、胸当て部１及びこれの両端部に連設された一対の袖部２，２よりなるカバー本体３と、首掛け用紐体４と、両側一対の腰裏結び用紐体５，５とからなり、各袖部２は袖口６が伸縮自在に絞られ、首掛け用紐体４は、伸縮自在の紐体で、両端部４ａ，４ａが胸当て部１の上辺側両端部に固着されて、着用者の首Ｎに掛けられるようになっており、両腰裏結び用紐体５，５は、夫々の一端部５ａ，５ａが胸当て部１の下辺側両端部に固着されていて、夫々袖脇開口縁部７の背中側に設けた紐通し１０に通して、腰裏側で他端部５ｂ，５ｂどうしを結ぶようになっていることを特徴とする。
【０００６】
請求項２は、請求項１に記載の衣服カバーにおいて、各袖部２は、袖脇部８が下方へ長く且つ袖口６側へ深く形成されて、袖脇開口９が伸縮自在に絞られていることを特徴とする。
【０００７】
請求項３は、請求項１又は２に記載の衣服カバーにおいて、首掛け用紐体４には首掛け長さを調整するアジャスター１１を取り付けてなることを特徴とする。
【発明の効果】
【０００８】
上記解決手段による発明の効果を、後述する実施形態の参照符号を付して説明すると、請求項１に係る発明の衣服カバーＫによれば、胸当て部１とこれの両端部に連設される一対の袖部２，２とによってカバー本体３を形成しているから、和服を着て外出先で水仕事をしたり食事をしたりする時などに和服の袖はもとより、着用者の胸元が濡れたり汚れたりするのを防ぐことができる。特に振り袖タイプの和服で振り袖を折り畳むように納めることができる。またこの発明の衣服カバーＫは、胸当て部１を備えているから、大人用の衣服カバーに限らず、そのサイズを適宜に変えることにより、幼児が食事の時に衣服が汚れるのを防ぐカバー、あるいは幼児のヨダレを受けるヨダレ掛けとしても有効に利用することができる。さらに、肩や腕および胸元にかけてのコンパクトな衣服カバーであり、また外出時に折り畳んで持ち運びすることができるから嵩張ることはなく実用的である。
【０００９】
また、袖部２の袖口５が伸縮自在に絞られて着用者の手首付近に密着するようになっているから、和服Ｒの袖Ｓを的確に包み込んで保護することができ
【００１０】
また、両腰裏結び用紐体５，５の夫々一端部５ａ，５ａが胸当て部１の下辺側両端部に固着されていて、夫々袖脇開口縁部７の背中側に設けた紐通し１０に通して、腰裏側で他端部５ｂ，５ｂどうしを結ぶようになっているから、胸当て部１の下辺側を着用者の着物の胸部側に密接させることができ、従ってこの衣服カバーＫを着用して、例えば洗い物をするような場合に前屈みになった時に、胸当て部１が下方へ垂れて着用者の着物の胸部側から離れることがなくなると共に、カバー本体３を着用者の胸部側に引き付けた状態に保持するすることができ、それによって着用者の和服Ｒの胸元が濡れたり汚れたりするのを確実に防ぐことができる。更にこの発明の衣服カバーＫは、構造が簡単で製作が容易であるから、コストを安くできると共に、長く使用できる利点がある。
【００１１】
請求項２に係る発明によれば、各袖部２は、袖脇部８が下方へ長く且つ袖口６側へ深く形成されているから、和服の上から衣服カバーＫを着用した時に、袖脇部８の中に和服Ｒの長袖も十分且つ容易に押し込むことができ、そしてまた袖脇開口９が伸縮自在に絞られているから、袖脇部８の中に和服Ｒの袖を押し込んだ時に、その袖を袖脇部８から容易に出ないように保持することができる。
【００１２】
請求項３に係る発明によれば、首掛け用紐体４には首掛け長さを調整するアジャスター１１を取り付けているから、首掛け長さを自在に調整できて、カバー本体３の着用具合を所望に調整することができる。
【発明を実施するための最良の形態】
【００１３】
以下に本発明の好適な実施形態について図面に基づいて説明すると、図１は本発明に係る大人用の衣服カバーＫを裏側から見た斜視図、図２は同衣服カバーＫを表側から見た斜視図、図３の(a) は衣服カバーＫを着用する前の着用者の和服姿を示す斜視図、(b) は衣服カバーＫを着用した着用者を正面側から見た斜視図、図４は衣服カバーＫを着用した着用者の着用状態を背中側から見た背面図であり、図５は衣服カバーＫを着用し炊事をしている着用者の斜視図である。
【００１４】
この衣服カバーＫは、胸当て部１及びこの胸当て部１の両端部に連設された一対の袖部２，２よりなるカバー本体３  と、首掛け用紐体４と、両側一対の腰裏結び用紐体５，５とからなるもので、各袖部２は、袖口６及び袖脇開口９が夫々伸縮自在に絞られており、首掛け用紐体４は、伸縮自在の紐体であって、両端部４ａ，４ａが胸当て部１の上辺側両端部に固着されて、着用者の首に掛けられるようになっており、そして両腰裏結び用紐体５，５は、夫々の一端部５ａ，５ａが胸当て部１の下辺側両端部に固着されていて、夫々袖脇開口縁部７，７の背中側に設けた紐通し１０，１０に通して、腰裏側で他端部どうしを結ぶようになっている。
【００１５】
カバー本体３は、所要の布地からなるもので、この製作にあたっては、図１及び図２から分かるように、布地を所要形状に裁断して、胸当て部１と両袖部２の主要部とを有する主体Ａを形成し、この主体Ａの左右両端部側に下側から袖脇形成用襠布材Ｂを縫い付け、これによって胸当て部１の左右両端側に袖部２，２を形成すると共に、これら袖部２，２に夫々懐の深い袖脇部８，８を夫々形成するようにしたもので、各袖脇部８は、普通の衣服の袖脇部よりも下方へ十分に長く延び且つ袖口６側へ深く延びて、いわゆる懐の深い袖脇部となっている。
【００１６】
上記のように袖脇部８が下方へ十分に長く延び且つ袖口６側へ深く延びて懐の深い袖脇部を形成していることから、和服の上から衣服カバーＫを着用した時に、袖脇部８の中に和服の長袖も十分且つ容易に押し込むことができる。
【００１７】
上記カバー本体３を製作する布地、即ち主体Ａ及び襠布材には、防水加工されたものを使用してもよいし、また防水加工がされていない布地を使用してカバー本体３を製作した後、その製品に防水加工を施すようにしてもよい。
【００１８】
また、各袖部２の先端部である袖口５には、図示は省略するが、ゴム紐が内装されて、伸縮自在に絞られた袖口５となっており、各袖部２の腕挿入口側である袖脇部８の袖脇開口９は、その開口縁部７にゴム紐が内装されて部分的に伸縮自在に絞られた構造となっている。このように袖口６が伸縮自在に絞られていることにより、袖口５が着用者の手首付近に密着して、衣服の袖部を的確に包み込んで保護することができる。また袖脇部８の袖脇開口９が伸縮自在に絞られているから、袖脇部８の中に和服Ｒの袖を押し込んだ時に、その和服Ｒの袖を袖脇部８から容易に出ないように保持することができる。
【００１９】
首掛け用紐体４は、適当な伸縮性を有するように形成された所要長さの紐体であって、両端部４ａ，４ａが胸当て部１の上辺側両端部に固着されており、図１及び図２示すように二つに折られた中間部に、首掛け長さを調整するアジャスター１１が取り付けられている。
【００２０】
このアジャスター１１は、図１の(b) に示すように、一端部が閉塞され且つ他端部側に貫通孔１１ｂを貫設した有底円筒状ケース１１ａと、このケース１１ａ内にバネ１１ｃを介し回転不能でスライド可能に嵌合され、中間部に貫通孔１１ｅを形成したロッド１１ｄとからなるもので、ロッド１１ｄは、常時はバネ１１ｃの付勢力でケース１１ａから突出すると共に、貫通孔１１ｅがケース１１ａの貫通孔１１ｂに対しケース１１ａの一端側寄りに離れて位置する。使用にあたり、ロッド１１ｄの一端部をバネ１１ｃに抗して押えたまま、ロッド１１ｄの貫通孔１１ｅをケース１１ａの貫通孔１１ｂと合致させた状態で、首掛け用紐体４の二つ折り部分４ｂを貫通孔１１ｂ，１１ｅに通して、ロッド１１ｄを放すと、ロッド１１ｄがバネ１１ｃの付勢力で移動して首掛け用紐体４の二つ折り部分４ｂがケース１１ａの貫通孔１１ｂとロッド１１ｄの貫通孔１１ｅとの境界段部に挟まれて、アジャスター１１の移動が阻止されるようになるから、首掛け用紐体４の首掛け長さを任意に調整することができる。
【００２１】
腰裏結び用紐体５，５は、夫々の一端部５ａ，５ａを胸当て部１の下辺側両端部に固着した非伸縮性の紐体からなるもので、夫々袖脇開口縁部７，７の背中側に取り付けた輪っか状の紐通し１０，１０に通して、腰裏側で他端部５ｂ，５ｂどうしを結ぶようになっている。
【００２２】
上記のような構成よりなる本発明の衣服カバーＫの使用方法を説明すると、図３の(a)
は和服Ｒを着た女性が衣服カバーＫを着用する前の状態を示し、(b) はその女性が衣服カバーＫを着用した状態を示し、図４は衣服カバーＫを着用した着用者の着用状態を背中側から見た背面図であり、また図５は衣服カバーＫを着用し炊事をしている着用者の斜視図である。
【００２３】
この衣服カバーＫの着用にあたっては、図１及び図２に示すように各腰裏結び用紐体５を袖脇開口縁部７，７の背中側に設けられた紐通し１０に予め挿通しておく。しかして、和服Ｒを着た着用者は、手で和服Ｒの袖口を掴んだ状態で、カバー本体３の裏側から袖部２，２に両腕を通し入れて、各袖部２の中に和服Ｒの袖Ｓを押し込むようにして挿入し、胸当て部１を胸部にあてがって、図３の(b) に示すような状態とする。
【００２４】
こうしてカバー本体３の袖部２，２に着用者の腕を通して和服Ｒの袖Ｓ，Ｓを挿入し終えた後、首掛け用紐体４を首Ｎに掛け、アジャスター１１を紐体４の二つ折り部分４ｂに沿ってスライドしながら紐体４の首掛け長さを所望に調整する。この後、着用者は両手を後ろに回して両腰裏結び用紐体５，５を後方へ引きながら、腰裏側で他端部５ｂ，５ｂどうしを結んで図４に示すような状態にすることより、衣服カバーＫを着用し終える。
【００２５】
上記のように使用される衣服カバーＫによれば、袖部２の袖口５が伸縮自在に絞られて着用者の手首付近に密着するようになっているから、和服Ｒの袖Ｓを的確に包み込んで保護することができ、そしてまた袖脇部８の袖脇開口９も伸縮自在に絞られているから、袖脇部８の中に和服Ｒの袖を押し込んだ時に、その袖を袖脇部８から容易に出ないように保持することができる。
【００２６】
また、両腰裏結び用紐体５，５の夫々一端部５ａ，５ａが胸当て部１の下辺側両端部に固着されていて、夫々袖脇開口縁部７の背中側に設けた紐通し１０に通して、腰裏側で他端部５ｂ，５ｂどうしを結ぶようになっているから、カバー本体３の胸当て部１、特に胸当て部１の下辺側を着用者の着物の胸部側に密接させることができ、従ってこの衣服カバーＫを着用して、例えば図５に示すように洗い物をするような場合に前屈みになった時、胸当て部１が下方へ垂れて着用者の着物の胸部側から離れることがなくなると共に、カバー本体３を着用者の胸部側に引き付けた状態に保持するすることができ、それによって着用者の和服Ｒの胸元が濡れたり汚れたりするのを確実に防ぐことができる。
【００２７】
また、首掛け用紐体４は、伸縮自在の紐体で、両端部４ａ，４ａが胸当て部１の上辺側両端部に固着されて、着用者の首Ｎに掛けられるようになっているから、その首掛け操作が簡単容易となる。また、首掛け用紐体４にはアジャスター１１が取り付けてあるから、首掛け長さを自在に調整することができて、カバー本体３の着用具合を所望に調整することができる。
【００２８】
以上の実施形態は、本発明を大人用の衣服カバーＫに実施した例について説明したが、大人用の衣服カバーに限らず、そのサイズを適宜に変えることによって、幼児が食べ物を食べる時にこれが衣服につくのを防ぐための衣服カバー、あるいは幼児のヨダレを受けるヨダレ掛けとしても実施することができる。
【図面の簡単な説明】
【００２９】
【図１】本発明に係る大人用の衣服カバーを裏側から見た斜視図である。
【図２】同衣服カバーを表側から見た斜視図である。
【図３】(a) は衣服カバーを着用する前の着用者の和服姿を示す斜視図、(b) は衣服カバーを着用した着用者を正面側から見た斜視図である。
【図４】衣服カバーを着用した着用者の着用状態を背中側から見た背面図である。
【図５】衣服カバーＫを着用し炊事をしている着用者の斜視図である。
【符号の説明】
【００３０】
Ｋ            衣服カバー
１            胸当て部
２            袖部
３            カバー本体
４            首掛け用紐体
５            腰裏結び用紐体
７            袖脇開口縁部
８            袖脇部
９            袖脇開口
１０          紐通し
１１          アジャスター
【図１】
0004624899.tif 000002
【図２】
0004624899.tif 000003
【図３】
0004624899.tif 000004
【図４】
0004624899.tif 000005
【図５】
0004624899.tif 000006